(57)【特許請求の範囲】
【請求項１】
一方の携帯装置の移動地点における絶対位置を表示した地図情報を、位置地図情報提供側装置が通信回線網を通じて他方の携帯装置に提供して表示させる方法であって、
一方の携帯装置が自己絶対位置を計測するステップと、
一方の携帯装置が位置表示地図上の文字を所望の言語で表示する指示を行うステップと、
一方の携帯装置が他方の携帯装置と無線回線接続し、当該一方の携帯装置が当該他方の携帯装置に問い合わせキーを転送するステップと、
一方の携帯装置が他方の携帯装置に自己絶対位置の情報及び所望の言語での表示指示情報を転送するステップと、
他方の携帯装置が位置地図情報提供側と無線回線接続し、当該他方の携帯装置が、前記一方の携帯装置側から受け取った前記問い合わせキーを位置地図情報提供側に転送するステップと、
他方の携帯装置が一方の携帯装置から受け取った絶対位置情報及び言語表示指示情報を位置地図情報提供側に転送するステップと、
位置地図情報提供側が、受け取った絶対位置情報に対応する地図情報をデータベースから取り込むステップと、
位置地図情報提供側が受け取った前記問い合わせキーを、前記一方の携帯装置から受信し登録していた前記問い合わせキーに係る情報と照合して、生成した位置地図情報の転送許可を判断するステップと、
位置地図情報提供側が、取り込んだ地図上に一方の携帯装置の絶対位置を表示するステップと、
位置地図情報提供側が、位置表示地図上の文字をデータベースから読み出し、かつ、言語表示指示情報に基づいた言語に変換するステップと、
位置地図情報提供側が、地図上に一方の携帯装置の位置を示し、かつ、位置表示地図上の文字を一方の携帯装置から指示された言語で表記した位置地図情報を生成して他方の携帯装置に転送するステップと、
他方の携帯装置が、位置地図情報提供側から受け取った位置地図情報を表示するステップと、
の各ステップを有することを特徴とする通信ネットワークによる位置表示地図情報の提供取得方法。
【請求項２】
前記他方の携帯装置が位置地図情報提供側から受け取った位置地図情報を表示するステップにおいて、取り込んだ位置地図情報の全部又は拡大部分の表示指示を行ってそれぞれを選択的に表示するステップをさらに有することを特徴とする請求項１に記載の通信ネットワークによる位置表示地図情報の提供取得方法。
【請求項３】
前記他方の携帯装置が位置地図情報提供側から受け取った位置地図情報を表示するステップの次に、他方の携帯装置と位置地図情報提供側との無線回線接続中の双方向通信において、
（ａ）他方の携帯装置が位置地図情報提供側に、全部又は部分拡大した位置地図情報の転送を要求するステップと、
（ｂ）位置地図情報提供側が他方の携帯装置が要求した位置地図情報の全部又は拡大部分を転送するステップと、
（ｃ）他方の携帯装置が位置地図情報提供側から受け取った位置地図情報の全部又は拡大部分を表示するステップと、
の各ステップを、さらに有することを特徴とする請求項１に記載の通信ネットワークによる位置表示地図情報の提供取得方法。
【請求項４】
前記一方の携帯装置と他方の携帯装置との無線回線接続中、及び他方の携帯装置と位置地図情報提供側とが無線回線接続中において、
（ａ）一方の携帯装置が移動し、計測による絶対位置情報が変化した際に、新たな絶対位置情報を他方の携帯装置に転送するステップを、さらに有し、且つ、位置地図情報を位置地図情報提供側が生成して他方の携帯装置に転送するステップの次に、
（ｂ）位置地図情報を位置地図情報提供側が、受け取った新たな絶対位置情報に基づいた表示範囲の位置地図情報に生成し直すステップと、
をさらに有することを特徴とする請求項１に記載の通信ネットワークによる位置表示地図情報の提供取得方法。
【請求項５】
前記一方の携帯装置及び他方の携帯装置が計測する自己の絶対位置情報を、衛星電波を受信して生成することを特徴とする請求項１に記載の通信ネットワークによる位置表示地図情報の提供取得方法。
【請求項６】
前記位置地図情報提供側が受け取った絶対位置情報に対応する地図情報をデータベースから取り込むステップにおいて、二次元表示又は三次元シミュレーションによる立体的な画像表示の位置地図情報を生成し、この二次元表示又は立体的な画像表示による位置地図情報を他方の携帯装置で表示することを特徴とする請求項１に記載の通信ネットワークによる位置表示地図情報の提供取得方法。
【請求項７】
前記位置地図情報提供側が受け取った絶対位置情報に対応する地図情報をデータベースから取り込むステップにおいて、音声出力及び動く画像の地図位置情報を生成し、この音声出力及び動く画像を携帯装置で表示することを特徴とする請求項１に記載の通信ネットワークによる位置表示地図情報の提供取得方法。
【請求項８】
移動地点の絶対位置情報に対応する地図情報を一方の携帯装置から位置地図情報提供通信装置が無線通信回線網を通じて他方の携帯装置に提供して取得表示する位置表示地図提供取得通信システムであって、
前記一方の携帯装置が、計測した自己の絶対位置情報及び位置表示地図上の文字を所望の言語で表示する要求情報を、前記他方の携帯装置に無線回線接続を通じて転送し、
前記他方の携帯装置が、前記位置地図情報提供通信装置と無線回線接続し、前記一方の携帯装置から受け取った絶対位置情報及び所望言語表示の要求情報を位置地図情報提供通信装置に転送し、位置地図情報提供通信装置から受け取った位置地図情報を表示し、前記位置地図情報提供通信装置が、受け取った絶対位置情報に対応する地図情報をデータベースから取り込み、この取り込んだ地図上に前記一方の携帯装置の絶対位置を表示するとともに、前記一方の携帯装置が指示した所望言語表示の要求情報に基づいた言語で表記する位置表示地図上の文字情報をデータベースから読み出し、位置地図情報を生成して前記他方の携帯装置に転送し、
前記一方の携帯装置が、他方の携帯装置に問い合わせキーを転送し、前記他方の携帯装置が、受け取った問い合わせキーを位置地図情報提供装置に転送し、前記位置地図情報提供通信装置が、受け取った問い合わせキーを前記一方の携帯装置から受信し登録していた前記問い合わせキーに係る情報と比較して、生成した位置地図情報の転送許可を判断する、ことを特徴とする位置表示地図提供取得通信システム。
【請求項９】
前記一方の携帯装置に、移動通信運用を実行する携帯電話機と、衛星電波を受信し、自己絶対位置情報を検出して前記携帯電話機に転送するＧＰＳ装置とを備え、かつ、他方の携帯装置に、前記携帯電話機及びＧＰＳ装置の両方、又は前記携帯電話機のみを備えることを特徴とする請求項８に記載の位置表示地図提供取得通信システム。
【請求項１０】
前記地図情報通信装置が、通信制御装置と地図データベース装置と多言語データベース装置とを備え、通信制御装置の制御で、読み出した地図情報に、（ａ）前記多言語データベース装置から無線回線接続における発信電話番号における国別識別番号データに基づいた文字情報を表示し、（ｂ）前記多言語データベース装置から携帯装置において要求された言語間変換による文字情報を表示し、前記（ａ）（ｂ）の一方又は両方による文字情報の表示を行うことを特徴とする請求項８に記載の位置表示地図提供取得通信システム。
【請求項１１】
前記携帯装置に、地図情報通信装置から受け取った二次元表示、又は三次元シミュレーションによる立体的な画像を受信表示するための受信画像処理手段と、地図情報通信装置から受け取った音声出力及び動く画像の位置地図情報を受信表示するための受信音声画像処理手段と、を備えることを特徴とする請求項８に記載の位置表示地図提供取得通信システム。
【請求項１２】
前記地図情報通信装置に、二次元表示及び／又は三次元シミュレーションによる立体的な画像表示の位置地図情報を生成して転送する転送画像処理手段と、音声出力用及び／又は動く画像の位置地図情報を生成して転送する転送音声画像処理手段と、を備えることを特徴とする請求項８に記載の位置表示地図提供取得通信システム。
【請求項１３】
前記通信制御装置と、地図データベース装置と多言語データベース装置の一方又は両方が、無線通信回線網上において、同一場所に設置され、又は、別な場所に設置されることを特徴とする請求項１２に記載の位置表示地図提供取得通信システム。
【発明の詳細な説明】
【０００１】
【発明の属する技術分野】
本発明は、自己位置を表示した携帯電話機移動先周辺の位置地図情報を通信回線網を通じて他の携帯電話機に提供し、かつ、この位置地図情報を他の携帯電話機が画面表示して取得する、通信ネットワークによる位置表示地図情報の提供取得方法、位置表示地図提供取得通信システム及びそのプログラムに関する。
【０００２】
【従来の技術】
従来、セルラー移動電話システム（ＰＤＣ:Personal Digital Cellular Telecommunication System）において、携帯電話機を保持した個人の移動位置を地図上で特定する移動位置地図提供サービスが実施されている。この移動位置地図提供サービスでは、セル基地局のサービスエリア内に移動してきたＰＤＣの携帯電話機との位置登録シーケンスで得られるセル基地局の識別番号及び携帯電話機の固有番号を随時格納する中央制御局などのデータベース装置を利用している。
【０００３】
これは、通話実績（発信先電話番号の記録など）及びその課金とともに、携帯電話機への着信呼び出し用として、セル基地局の識別番号及び携帯電話機の固有番号を随時格納しているものである。携帯電話機の移動ごとのセル基地局の住所（携帯電話機の位置）を地図上に連続的に表示することによって携帯電話機を保持した個人の移動位置が判明する。この個人の移動位置は、特にセルゾーン（サービスエリア）が狭いコードレス電話システム（ＰＨＳ:Personal Handyphone System）の場合には比較的高精度（例えば、直径数百ｍのマイクロセルの場合は、その数百ｍの最大誤差）の地図上の移動位置が判明する。
【０００４】
この移動位置情報は、携帯電話機から自由に取得できない。この位置提供サービスは、セルラー移動電話システムの運営者との契約が必要であり、パーソナルコンピュータの通信制御及びファクシミリ画像通信によって実施されている。
【０００５】
【発明が解決しようとする課題】
このような上記従来例では、次の不便がある。
（１）移動位置情報は、携帯電話機から自由に取得できない。すなわち、移動位置情報を得るには運営者との契約が必要とともに、パーソナルコンピュータファクシミリ装置が必要である。
（２）地図上の移動位置が、例えば、数百ｍの最大誤差でしか得られない。
【０００６】
本発明の通信ネットワークによる位置表示地図情報の提供取得方法、位置表示地図提供取得通信システム及びそのプログラムは、従来の技術における課題を解決するものであり、次の目標を達成する。
【０００７】
（１）ＧＰＳ計測による正確な自己絶対位置（携帯電話機の移動先）を表示した位置地図情報を通信回線網上で他の携帯電話機に容易に提供できるとともに、提供される相手絶対位置（携帯電話機の移動先）を示す位置地図情報を容易に取得して画面表示できるようにする。
（２）前記（１）位置地図情報の提供及び（２）相手位置示す位置地図情報の取得を、海外のローミング運用に適用し、かつ、地図上で多言語表示を可能にする。
（３）前記（１）位置地図情報の他の携帯電話機への提供及び（２）相手位置を示す位置地図情報の取得の通信を安全に実行できるようにする。
【０００８】
【課題を解決するための手段】
上記課題を解決するために、本発明の通信ネットワークによる位置表示地図情報の提供取得方法は、一方の携帯装置の移動地点における絶対位置を表示した地図情報を、位置地図情報提供側装置が通信回線網を通じて他方の携帯装置に提供して表示させる方法であって、一方の携帯装置が自己絶対位置を計測するステップと、一方の携帯装置が位置表示地図上の文字を所望の言語で表示する指示を行うステップと、一方の携帯装置が他方の携帯装置と無線回線接続し、当該一方の携帯装置が当該他方の携帯装置に問い合わせキーを転送するステップと、一方の携帯装置が他方の携帯装置に自己絶対位置の情報及び所望の言語での表示指示情報を転送するステップと、他方の携帯装置が位置地図情報提供側と無線回線接続し、当該他方の携帯装置が、前記一方の携帯装置側から受け取った前記問い合わせキーを位置地図情報提供側に転送するステップと、他方の携帯装置が一方の携帯装置から受け取った絶対位置情報及び言語表示指示情報を位置地図情報提供側に転送するステップと、位置地図情報提供側が、受け取った絶対位置情報に対応する地図情報をデータベースから取り込むステップと、位置地図情報提供側が受け取った前記問い合わせキーを、前記一方の携帯装置から受信し登録していた前記問い合わせキーに係る情報と照合して、生成した位置地図情報の転送許可を判断するステップと、位置地図情報提供側が、取り込んだ地図上に一方の携帯装置の絶対位置を表示するステップと、位置地図情報提供側が、位置表示地図上の文字をデータベースから読み出し、かつ、言語表示指示情報に基づいた言語に変換するステップと、位置地図情報提供側が、地図上に一方の携帯装置の位置を示し、かつ、位置表示地図上の文字を一方の携帯装置から指示された言語で表記した位置地図情報を生成して他方の携帯装置に転送するステップと、他方の携帯装置が、位置地図情報提供側から受け取った位置地図情報を表示するステップと、の各ステップを有することを特徴としている。
【００１１】
本発明の方法は、前記他方の携帯側が位置地図情報提供側から受け取った位置地図情報を表示するステップにおいて、取り込んだ位置地図情報の全部又は拡大部分の表示指示を行ってそれぞれを選択的に表示するステップをさらに有することを特徴としている。
【００１２】
本発明の方法は、前記他方の携帯側が位置地図情報提供側から受け取った位置地図情報を表示するステップの次に、他方の携帯側と位置地図情報提供側との無線回線接続中の双方向通信において、（ａ）他方の携帯側が位置地図情報提供側に、全部又は部分拡大した位置地図情報の転送を要求するステップと、（ｂ）位置地図情報提供側が他方の携帯側が要求した位置地図情報の全部又は拡大部分を転送するステップと、（ｃ）他方の携帯側が位置地図情報提供側から受け取った位置地図情報の全部又は拡大部分を表示するステップとをさらに有することを特徴としている。
【００１３】
本発明の方法は、前記一方の携帯側と他方の携帯側との無線回線接続中、及び他方の携帯側と位置地図情報提供側とが無線回線接続中において、（ａ）一方の携帯側が移動し、計測による絶対位置情報が変化した際に、新たな絶対位置情報を他方の携帯側に転送するステップをさらに有し、かつ、位置地図情報を位置地図情報提供側が生成して他方の携帯側に転送するステップの次に、（ｂ）位置地図情報を位置地図情報提供側が、受け取った新たな絶対位置情報に基づいた表示範囲の位置地図情報に生成し直すステップとをさらに有することを特徴としている。
【００１４】
本発明の方法は、前記一方及び他方の携帯側が計測する自己の絶対位置情報を、衛星電波を受信して生成することを特徴としている。
【００１５】
本発明の方法は、前記位置地図情報提供側が受け取った絶対位置情報に対応する地図情報をデータベースから取り込むステップにおいて、地図情報を、二次元表示用又は三次元シミュレーションによる立体的な画像表示用の画像情報に生成し、この二次元表示又は立体的な画像表示を他方の携帯側で表示することを特徴としている。
【００１６】
本発明の方法は、前記位置地図情報提供側が受け取った絶対位置情報に対応する地図情報をデータベースから取り込むステップにおいて、音声出力及び動く画像の位置地図情報を生成し、この音声出力及び動く画像を携帯側で表示することを特徴としている。
【００１７】
本発明の位置表示地図提供取得通信システムは、移動地点の絶対位置情報に対応する地図情報を一方の携帯装置から位置地図情報提供通信装置が無線通信回線網を通じて他方の携帯装置に提供して取得表示する位置表示地図提供取得通信システムであって、前記一方の携帯装置が、計測した自己の絶対位置情報及び位置表示地図上の文字を所望の言語で表示する要求情報を、前記他方の携帯装置に無線回線接続を通じて転送し、前記他方の携帯装置が、前記位置地図情報提供通信装置と無線回線接続し、前記一方の携帯装置から受け取った絶対位置情報及び所望言語表示の要求情報を位置地図情報提供通信装置に転送し、位置地図情報提供通信装置から受け取った位置地図情報を表示し、前記位置地図情報提供通信装置が、受け取った絶対位置情報に対応する地図情報をデータベースから取り込み、この取り込んだ地図上に前記一方の携帯装置の絶対位置を表示するとともに、前記一方の携帯装置が指示した所望言語表示の要求情報に基づいた言語で表記する位置表示地図上の文字情報をデータベースから読み出し、位置地図情報を生成して前記他方の携帯装置に転送し、前記一方の携帯装置が、他方の携帯装置に問い合わせキーを転送し、前記他方の携帯装置が、受け取った問い合わせキーを位置地図情報提供装置に転送し、前記位置地図情報提供通信装置が、受け取った問い合わせキーを前記一方の携帯装置から受信し登録していた前記問い合わせキーに係る情報と比較して、生成した位置地図情報の転送許可を判断する、ことを特徴としている。
【００２０】
本発明の通信システム、前記一方の携帯端末に、移動通信運用を実行する携帯電話機と、衛星電波を受信し、自己絶対位置情報を検出して前記携帯電話機に転送するＧＰＳ装置とを備え、かつ、他方の携帯端末に、前記携帯電話機及びＧＰＳ装置の両方、又は前記携帯電話機のみを備えることを特徴としている。
【００２１】
本発明の通信システム、前記地図情報通信装置が、通信制御装置と地図データベース装置と多言語データベース装置とを備え、通信制御装置の制御で、読み出した地図情報に、（ａ）前記多言語データベース装置から無線回線接続における発信電話番号における国別識別番号データに基づいた文字情報を表示し、（ｂ）前記多言語データベース装置から携帯端末において要求された言語間変換による文字情報を表示し、この（ａ）（ｂ）の一方又は両方による文字情報の表示を行うとを特徴としている。
【００２２】
本発明の通信システム、前記携帯端末に、地図情報通信装置から受け取った二次元表示、又は三次元シミュレーションによる立体的な画像の位置地図情報を受信表示するための受信画像処理手段と、地図情報通信装置から受け取った音声出力及び動く画像の位置地図情報を受信表示するための受信音声画像処理手段とを備えることを特徴としている。
【００２３】
本発明の通信システム、前記地図情報通信装置に、二次元表示及び／又は三次元シミュレーションによる立体的な画像表示の位置地図情報を生成して転送する転送画像処理手段と、音声出力用及び／又は動く画像の位置地図情報を生成して転送する転送音声画像処理手段とを備えることを特徴としている。
【００２４】
本発明の通信システム、前記通信制御装置と、地図データベース装置と多言語データベース装置の一方又は両方が、無線通信回線網上において、同一場所に設置され、又は、別な場所に設置されることを特徴としている。
【００３１】
【発明の実施の形態】
次に、本発明の通信ネットワークによる位置表示地図情報の提供取得方法、位置表示地図提供取得通信システム及びそのプログラムの実施形態を図面参照の上で詳細に説明する。
【００３２】
図１は本発明の実施形態における通信ネットワーク構成を示す外観構成図である。
図１において、この例は、特に海外での移動電話のローミング運用及び全地球方位計測システム（ＧＰＳ: Global Positioning Systems）による現在の絶対位置（緯度、経度）を計測する携帯端末１Ａと、この携帯端末１Ａの移動位置情報を取得する携帯端末１Ｂ（請求項における一方及び他方の携帯側の装置に対応する）を有している。この携帯端末１Ａ，１Ｂは、無線区間（エアーインタフェース）でセル基地局・交換制御局（ＢＳ・ＭＣＣ）２Ａ，２Ｂにそれぞれに収容されている。
【００３３】
さらに、この例は、セル基地局・交換制御局２Ａ，２Ｂと、それぞれインターネットゲートウェイ（ＧＷ）３Ａ，３Ｂを通じてインターネット回線網４に接続されている。
【００３４】
また、インターネット回線網４には、携帯端末１Ｂに、携帯端末１Ａからの移動地点の絶対位置及び文字表示された位置地図情報を送出する位置地図情報提供通信システム５（請求項における位置地図情報提供側の装置及び位置地図情報提供通信装置に対応する）が接続されている。
【００３５】
位置地図情報提供通信システム５は、ここでの制御を実行する制御サーバ６（請求項における転送画像処理手段及び転送音声画像処理手段に対応する）とともに、地図情報を格納した地図データベース装置７及び多言語変換情報を格納した多言語データベース装置８とを有している。
【００３６】
なお、この地図データベース装置７及び多言語データベース装置８は、位置地図情報提供通信システム５と一体的に構成されているが、インターネット回線網４上に位置地図情報提供通信システム５と、地図データベース装置７及び多言語データベース装置８を離間して配置し、かつ、双方向通信によって、以降で説明する一連の処理を実行するようにしても良い。
【００３７】
図２は図１中の携帯端末１Ａ，１Ｂの構成を示すブロック図である。
図２において、携帯端末１Ａ，１Ｂは、特に外国でのローミング運用が可能なセルラー移動電話システム（ＰＤＣ）であり、かつ、位置地図情報提供通信システム５へのアクセスを行うためのウェブブラウザ（例えば、移動通信網専用のＨＴＭＬタグ記述の伝送を実行）を搭載した携帯電話機１０とともに、受信地点の絶対位置情報（緯度、経度）を検出するＧＰＳ受信機３０を有している。
【００３８】
携帯電話機１０は、例えば、次の構成が既知である。
携帯電話機１０は、無線送受信部１１と、変調／復調部１２と、時分割／多重分離部１３と、コーデック（符号化／復号化）部１４と、送話用マイクロホン１５と受話用スピーカ１６と、例えば、周波数切替シンセサイザ制御及び受信電界強度（ＲＳＳＩ）検出を行う受信処理部１７と、マイクロプロセッサ（ＭＰＵ）１８（請求項における受信画像処理手段及び受信音声画像処理手段に対応する）と、着信表示発光ダイオードや液晶デスプレイなどの表示部１９と、テンキー及びその機能キーからなるキーパッド２０と、外部インタフェース（Ｉ／Ｆ）部２１と、メモリ２２（請求項における受信画像処理手段及び受信音声画像処理手段に対応する）とを有した構成である。
【００３９】
ＧＰＳ受信機３０は、例えば、次の構成である。
ＧＰＳ受信機３０は、天空を飛翔する少なくとも３個のＧＰＳ衛星ｓａｔからのＧＰＳ電波Ｗａ，Ｗｂ，Ｗｃを受信する平面偏波無指向性受信用のアンテナ３１と、高周増幅、周波数変換、検波などを行う無線受信部３２とともに、現在絶対位置（緯度、経度、高度）情報を算出するデジタルシグナルプロセッサ（ＤＳＰ）３３と、現在絶対位置情報の計測転送を指示する操作部３４と、ＧＰＳ計測に関する表示文字サイズなどを送出するためのホォント回路３５と、例えば、画像データを表示データに変換するＶ−ＲＡＭ３６と、メモリ３７と、携帯電話機１０とのデータやり取りを行うインタフェース（Ｉ／Ｆ）部３８とを有した構成である。
【００４０】
なお、デジタルシグナルプロセッサ３３の処理は、同様に動作するマイクロコンピュータとプログラム（ソフトウェア）の組み合わせの構成でも実現できる。
【００４１】
また、このＧＰＳ受信機３０は、携帯端末１Ａ，１Ｂに携帯電話機１０とともに一体的に構成しているが、携帯電話機１０にＧＰＳ受信機３０を外付けとする構成でも良い。
【００４２】
さらに、ここでは携帯端末１Ａ，１Ｂを携帯電話機１０及びＧＰＳ受信機３０を備えた同一の構成としている。すなわち、携帯端末１Ａ，１Ｂとが相互に自己絶対位置を提供できるようにしている。携帯端末１Ａ，１Ｂにおける一方が自己絶対位置を提供し、他方が絶対位置を表示した位置地図情報を取得する構成でも良い。すなわち、携帯端末１Ａ，１Ｂの一方にはＧＰＳ受信機３０を設けない構成も良い。
【００４３】
以下の説明では、携帯端末１Ａから携帯端末１Ｂに、移動位置（携帯電話機の移動先）を示す位置地図情報を提供する場合をもって説明する。携帯端末１Ｂから携帯端末１Ａに移動位置（携帯電話機の移動先）を示す位置地図情報を提供する場合も、以下の説明と同様にして、その処理を行う。
【００４４】
図３は図１中の位置地図情報提供通信システム５の構成を示すブロック図である。
【００４５】
図３において、この例の位置地図情報提供通信システム５は、例えば、ＴＣＰ／ＩＰ（Transmission Control Protocol/Internet Protocol）を実行するＬＡＮシステムとして構築されている。
【００４６】
このＬＡＮシステムには、インターネット回線網４に接続するための回線接続装置（例えば、ＩＳＤＮに接続するためのデジタル終端接続装置／ＤＳＵ、侵入防止用のファイアウォールアプリケーションを実装したルータなど）４１を備えている。さらに、このＬＡＮシステムには、基幹的な通信処理を実行するための主コンピュータであるウェブ（Ｗｅｂ）サーバ４２と、ＦＴＰ（File Transfer Protocol）ファイル転送用のＦＴＰサーバ４３と、暗号化通信プロトコル（ＳＳＬ:Secure Sockets Layer）を実行するＳＳＬサーバ４４と、地図データベース装置７及び多言語データベース装置８のリレーショナル処理などによる情報格納とともにトラッキング処理による読み出しなどを制御するためのデータベース（Ｄ／Ｂ）サーバ４５とを有している。
【００４７】
なお、この位置地図情報提供通信システム５は、一例としての構成であり、データ処理量が少ない場合は、ウェブサーバ４２一つに上記した位置地図情報提供通信機能を持たせることも出来る。
【００４８】
次に、この実施形態の動作について説明する。
【００４９】
図１及び図２において、携帯端末１Ａ，１Ｂの携帯電話機１０は、特に外国でのローミング運用動作を行い、かつ、ウェブブラウザ（アプリケーション）によるインターネットアクセスを、通信プロトコル変換（インターネットＧＷ３）及びセル基地局・交換制御局（ＢＳ・ＭＣＣ）２とのエアーインタフェース処理を通じて行う。
【００５０】
携帯電話機１０は、例えば、ＴＤＭＡ・ＴＤＭＡ／ＴＤＤ方式（日本におけるＡＲＩＢ−２７／２８規格のＰＤＣ方式／ＰＨＳ方式）、ＣＤＭＡ方式（ＴＩＡ標準ＩＳ９５系／ＩＭＴ−２０００のＮ／Ｗ−ＣＤＭＡ等）で動作し、かつ、インターネット回線網４を通じた位置地図情報提供通信システム５へウェブブラウザ（例えば、移動通信回線網専用のＨＴＭＬタグ記述による伝送用）によってインターネットアクセス（位置地図情報提供通信システム５）を実行する。
【００５１】
携帯電話機１０は、例えば、１タイムスロット／伝送速度３２ｋｂ／ｓや２タイムスロット／伝送速度３２ｋｂ／ｓ×２（６４ｋｂ／ｓ）による音声通話及びデータ通信を行う。セル基地局・交換制御局２のサービスエリア内に携帯電話機１０が移動すると、制御チャネル（ＣＣＨ）をスキャンしてモニタし、最大受信電界強度の制御チャネルを補足する。この位置登録後は、既知の発呼（発信）又は着呼（着信）に対する通信シーケンスが実行される。
【００５２】
また、携帯端末１Ａ，１ＢのＧＰＳ受信機３０は、全地球方位計測（適宜、ＧＰＳ計測と記載する）システムによる現在の絶対位置（緯度、経度）を検出する。すなわち、天空を飛翔する少なくとも３個のＧＰＳ衛星ｓａｔが送信するＧＰＳ電波Ｗａ，Ｗｂ，Ｗｃを平面偏波無指向性受信用のアンテナ３１及び無線受信部３２で受信して、この受信地点の絶対位置を検出する。
【００５３】
この絶対位置情報は、デジタルシグナルプロセッサ３３が、スペクトル逆拡散、距離測定、ドップラ測定、軌道データ処理を行い、これらの情報から位置計算及び移動速度方位計算を行って検出する。この現在絶対位置情報を、操作部３４の指示操作によってインタフェース部３８から携帯電話機１０へ転送する。
【００５４】
なお、ＧＰＳ受信機３０が、最初の絶対位置検出して転送した後、絶対位置情報が前回値と異なった場合、すなわち、移動した場合に、自動的に携帯電話機１０に新たな絶対位置情報を転送するようにしても良い。
【００５５】
図１及び図３において、位置地図情報提供通信システム５は、携帯端末１Ａ，１Ｂからのインターネットアクセスによる絶対位置情報及び言語変換指示などによって、それぞれ地図データベース装置７及び多言語データベース装置８でのトラッキング処理による地図情報上に対応する言語で文字表示した位置地図情報を送出する。
【００５６】
この場合、位置地図情報提供通信システム５の制御サーバ６が、外国でのローミング運用における携帯端末１Ａ，１Ｂからの絶対位置情報（緯度、経度）を受け取り、そして、表示文字の言語変換などを行った位置地図情報をインターネット回線網４から携帯端末１Ａ，１Ｂへ提供するための制御を実行する。
【００５７】
この場合、制御サーバ６は、地図データベース装置７に格納している位置地図情報を携帯端末１Ａ，１Ｂからの絶対位置情報に対応させて読み出す。また、制御サーバ６は、地図データベース装置７から読み出した位置地図情報上の文字情報とは異なる文字情報に、例えば、ＨＴＭＬ記述の文字情報（画像／イメージ文字の変換は実質的に困難である）を多言語データベース装置８の処理で変換する。このトラッキング処理では、例えば、ＳＱＬ（Structured Query Language）によってリレーショナルデータベース処理を実行している。
【００５８】
図３に示すウェブサーバ４２は、インターネット通信として周知のＴＣＰ／ＩＰによる通信接続処理、ＨＴＭＬ（HyperText Markup Language）による言語処理機能（文章、音声、データ圧縮によるＪＰＥＧ静止画又はＭＰＥＧ動画処理）、及びＨＴＴＰ（Hypertext Transport Protocol）によるハイパーリンク機能による転送双方向通信、ＦＴＰサーバ４３によるファイル転送、及びＣＧＩ（Common Gateway Interface）による外部アプリケーションをそれぞれに実行する。このための移動電話においてインターネットアクセス用のウェブブラウザを搭載している。
【００５９】
さらに、地図データベース装置７では、地図情報を処理するための、ビットマップ画像ファイルを保存する、例えば、ＴＩＦＦ（Tagged Image File Format）とともに、機種や使用フォントに関わらず作成時のイメージを保った精緻な地図情報の変換が可能な、例えば、ＰＤＦ（Portable Document Format）ファイルによって高微細画像の地図情報を生成かつ処理する。
【００６０】
このような各装置は、ＴＣＰ／ＩＰリンクによって、周知のＩＰパケットによるファイル転送を双方向通信で行っている。この通信ネットワークにおけるインターネット上での転送処理は、ＨＴＴＰにおけるオブジェクト指示（クリック／マウスなどの座標入力装置によるラジオボタン、アンカー、プッシュボタン等への指示）によって実行する。この場合、ファイルフォーマットにＴＣＰコネクションの開放の伝送終了記述文字（ＦＩＮ）や伝送肯定応答文字（ＡＣＫ）などを格納し、その識別によってファイル転送を実行する。
【００６１】
次に、このような基本動作に基づいた第１、第２及び第３実施形態並びに応用変形例について説明する。
【００６２】
（１）第１実施形態
図４は第１実施形態における全体動作の伝送手順及び処理手順を示すシーケンス・フローチャートである。
【００６３】
この第１実施形態では、位置地図情報の提供及び取得において、特に海外ローミング運用時に地図上での多言語表示を行う。
【００６４】
図４において、まず、携帯端末１ＡのＧＰＳ受信機３０が移動地点の絶対位置（緯度、経度）のＧＰＳ計測を行う（ステップＳ１）。さらに、この絶対位置情報の計測完了を判断し、この得られた絶対位置情報を、携帯電話機１０が操作部３４で指示によって転送する（ステップＳ２）。
【００６５】
携帯端末１Ａの携帯電話機１０が携帯端末１Ｂへの発呼を行う（ステップＳａ）。次に所望の言語変換を指示する。例えば、ローミング運用を行っている国の言語や他の国の言語よる表示文字を要求する場合に、予め定められた言語変換指示（例えば、言語コードの指示）を行う（ステップＳｂ）。次に、携帯端末１Ｂの電話番号を入力し（ステップＳｃ）、言語変換指示情報と発信電話番号及び絶対位置情報の取り込みを判断する（ステップＳｄ）。
【００６６】
携帯端末１Ａの携帯電話機１０が、言語変換指示情報と発信電話番号及び絶対位置情報の取り込みの完了を判断した後（ステップＳｄ）、インターネット回線網４を通じて携帯端末１Ｂに発信する（ステップＳｅ）。
【００６７】
携帯端末１Ｂの携帯電話機１０が、携帯端末１Ａからの言語変換指示情報及び絶対位置情報の取り込みを判断する（ステップＳＡ）。携帯端末１Ｂが位置地図情報提供通信システム５へアクセスして無線回線接続（リンク）を行い携帯端末１Ａからの言語変換を指示情報及び絶対位置情報を転送する（ステップＳＢ）。
【００６８】
さらに、位置地図情報提供通信システム５が、携帯端末１Ｂの携帯電話機１０からのデータ取り込みを判断する（ステップＳ１０）。次に、携帯端末１Ｂの携帯電話機１０との位置登録シーケンスなどを通じて取り込んだ電話番号における国別番号情報（又は、セル基地局・交換制御局（ＢＳ・ＭＣＣ）２から転送が可能な個々の携帯端末１Ａ，１Ｂ固有の識別データ）の取り込みを行う（ステップＳ１１）。
【００６９】
次に、位置地図情報提供通信システム５は、携帯端末１Ａが携帯端末１Ｂに転送した絶対位置情報の取り込みを判断し（ステップＳ１２）、次に、絶対位置情報（緯度、経度）に対応する地図情報を地図データベース装置７からトラッキングによって取り出して「フラグＦ１」を立てる。ここの地図情報には、ローミング運用中の現地言語の文字表示となっている（ステップＳ１３）。
【００７０】
さらに、位置地図情報提供通信システム５は、言語変換指示の取り込みを判断し（ステップＳ１４）、言語変換指示がある場合に地図データベース装置７から取り出した地図情報上の文字情報を多言語データベース装置８の処理によってＨＴＭＬ記述上で変換して「フラグＦ２」を立てる（ステップＳ１５）。
【００７１】
さらに、位置地図情報提供通信システム５は、「フラグＦ１，Ｆ２」として格納されているコンテンツを携帯電話機１０にリンク上で転送する（ステップＳ１６）。携帯端末１Ｂの携帯電話機１０は、転送されてきた位置地図情報の取り込みを判断して画面表示する（ステップＳＣ，ＳＤ）。
【００７２】
また、携帯端末１ＡのＧＰＳ受信機３０において、ＧＰＳ計測値（絶対位置情報）が変化した場合、すなわち、携帯端末１Ａのユーザが移動した場合（ステップＳ３）、この絶対位置情報を携帯端末１Ａの携帯電話機１０に転送し、これ以降、前記同様の処理を繰り返して、携帯端末１Ｂの携帯電話機１０で新たな携帯端末１Ａの移動地点を示した位置地図情報の画面表示を行う。
【００７３】
次に、図４に示す第１実施形態の処理における要部について説明する。
【００７４】
まず、位置地図情報提供通信システム５から移動地点を示した位置地図情報の二つの転送例について説明する。
【００７５】
（１）広範囲の位置地図情報及び部分拡大の位置地図情報を、位置地図情報提供通信システム５が携帯端末１Ｂの携帯電話機１０へ同時に転送して、携帯端末１Ｂの携帯電話機１０のメモリ２２に格納する。この後、広範囲の位置地図情報を表示し、次に、操作部キーパッド２０から特定位置を指示し、その部分拡大の位置地図情報を携帯端末１Ｂの携帯電話機１０で画面表示する。
【００７６】
（２）最初に広範囲の位置地図情報を、位置地図情報提供通信システム５が携帯端末１Ａの携帯電話機１０に転送する。次に、位置地図情報提供通信システム５と携帯端末１Ａの携帯電話機１０とのリンク上で携帯端末１Ａの携帯電話機１０の部分指示によるコマンドを転送し、位置地図情報提供通信システム５が、その部分拡大した地図情報を地図データベース装置７からトラッキングによって取り出して転送する。そして、部分拡大した位置地図情報を携帯端末１Ｂの携帯電話機１０が画面表示する（この通信シーケンスは図４中で省略した）。
【００７７】
次に、前記した（１）広範囲の位置地図情報及び部分拡大の位置地図情報を、位置地図情報提供通信システム５が携帯端末１Ｂの携帯電話機１０へ同時に転送する場合の携帯端末１Ｂの携帯電話機１０での画面表示切り替えについて説明する。
【００７８】
図５は図４中の表示切り替えにかかるサブルーチンの処理手順を示すフローチャートである。また、図６は広範囲の位置地図情報の表示画面例を示す図であり、図７は図５の地図上の特定部分（点線部分）を拡大した位置地図情報の表示画面例を示す図である。
【００７９】
まず、図５を参照して図４中の表示切り替え（ステップＳＤサブルーチン）を詳細に説明する。
【００８０】
図５において、まず、位置地図情報提供通信システム５から携帯端末１Ａの移動地点を示した位置地図情報の転送を受けた携帯端末１Ｂの携帯電話機１０では、図６に示す広範囲又は図７に示す部分拡大の地図検索処理モードの指示がキーパッド２０から行われ、その検索処理モードを判断する（ステップＳＤａ）、そして、キーパッド２０から次の（１）（２）の検索条件が入力され（ステップＳＤｂ）、その検索が実行される（ステップＳＤｃ）。そして、このそれぞれが画面表示される（ステップＳＤｄ）。
（１）図７に示す広範囲の位置地図情報の検索（読み出し）指示
（２）図８に示す部分拡大の位置地図情報の検索指示
図７に示す（１）広範囲の位置地図情報は、例えば、携帯端末１Ａ，１Ｂのユーザが出張などで、地域の地理に詳しくない場合に最適である。
【００８１】
この図６では、ＧＰＳ計測地点の絶対位置（緯度、経度）、すなわち、携帯端末１Ａの携帯電話機１０のユーザ位置が「×印」で示され、かつ、この例では、「×印」を中心とした「点線」で、その部分拡大可能な範囲が図示されている。
【００８２】
次に、キーパッド２０（図２参照）での指示によって、図７に示す（２）部分拡大の位置地図情報が表示される。この位置地図情報には、地図上の建物や店の名称及びサービス名を付して表示されている。また、図の右上には「×印」の住所が掲載されている。
【００８３】
なお、前記した（２）広範囲の位置地図情報、部分拡大した位置地図情報を順次、位置地図情報提供通信システム５が携帯端末１Ａの携帯電話機１０に転送する例も、図５の表示切り替えを双方向通信で実行する。
【００８４】
（２）第２実施形態
この第２実施形態では、ＧＰＳ計測による正確な自己位置（携帯端末１Ａの移動先）を示す位置地図情報を通信回線網上で携帯端末１Ｂに提供し、かつ、携帯端末１Ｂが位置地図情報を取得して画面表示する。
【００８５】
なお、この第２実施形態及び以降の第３実施形態において、第１実施形態の説明における図４と同一の処理には同一の符号を付してある。
【００８６】
図８は第２実施形態における全体動作における伝送手順及び処理手順を示すシーケンス・フローチャートである。
図８において、まず、携帯端末１ＡのＧＰＳ受信機３０が、移動地点の絶対位置（緯度、経度）のＧＰＳ計測を行った絶対位置情報を、携帯電話機１０に転送する（ステップＳ１，Ｓ２）。
【００８７】
携帯端末１Ａの携帯電話機１０が絶対位置情報の取り込みを判断して電話番号を入力し、インターネット回線網４を通じて携帯端末１Ｂに発信する（ステップＳｈ，Ｓｉ）。
【００８８】
携帯端末１Ｂの携帯電話機１０が、携帯端末１Ａからの絶対位置情報の取り込みを判断して、この携帯端末１Ａの移動位置情報（絶対位置情報）と国際電話番号区分（最初の番号）とを携帯端末１Ｂが、位置地図情報提供通信システム５にアクセスして転送する（ステップＳＥ，ＳＦ）。
【００８９】
次に、位置地図情報提供通信システム５が、携帯端末１Ｂの携帯電話機１０からのデータ取り込みを判断する（ステップＳ２０）。さらに、位置地図情報提供通信システム５は、携帯端末１Ａが携帯端末１Ｂに転送した絶対位置情報（緯度、経度）に対応する地図情報を地図データベース装置７からトラッキングによって取り出して「フラグＦ１」を立てる（ステップＳ２１）。また、位置地図情報提供通信システム５は、自国を国際電話番号区分（最初の番号）から判断し（ステップＳ２２）、次に、地図データベース装置７から取り出した地図情報上に多言語データベース装置８から取り出した言語を付加して「フラグＦ２」を立てる（ステップＳ２３）。
【００９０】
さらに、位置地図情報提供通信システム５は、「フラグＦ１，Ｆ２」として格納されているコンテンツ（表示文字された位置地図情報）を携帯端末１Ｂの携帯電話機１０にリンク上で転送する（ステップＳ２４）。
【００９１】
携帯端末１Ｂの携帯電話機１０は、転送されてきた携帯端末１Ａの移動地点を示した位置地図情報の取り込みを判断して画面表示を行う（ステップＳＧ，ＳＨ）。
【００９２】
なお、携帯端末１ＡのＧＰＳ受信機３０でのＧＰＳ計測値（絶対位置情報）が変化した場合（ステップＳ３）、第１実施形態と同様の処理を繰り返して、携帯端末１の携帯電話機１０で新たな携帯端末１Ａの移動地点を示した位置地図情報の画面表示を行う。
【００９３】
また、この第２実施形態において、図５の第２実施形態でのサブルーチンの処理（図８中のステップＳＨ（図４中のステップＳＤと同様））は、前記した第１実施形態における図５のサブルーチン（ステップＳＤａ〜ＳＤｄ）と同様である。その重複した説明は省略する。
【００９４】
また、図８中のステップＳＨにおける表示画面は、第２実施形態の図６及び図７に示す二つの表示画面と同様である。また、この二つの表示画面の切り替え処理も第１実施形態の説明と同様であり、その重複した説明は省略する。
【００９５】
（３）第３実施形態
この第３実施形態では、「問い合わせキー（符号（文字、数字）」の照合によって、位置地図情報の提供及び取得を安全に実行する。
【００９６】
図９は第３実施形態における全体動作における伝送手順及び処理手順を示すシーケンス・フローチャートである。
図９において、まず、携帯端末１ＡのＧＰＳ受信機３０が、移動地点の絶対位置（緯度、経度）のＧＰＳ計測を行った絶対位置情報を、携帯電話機１０への転送する（ステップＳ１，Ｓ２）。
【００９７】
携帯端末１Ａの携帯電話機１０が絶対位置情報の取り込みを判断して発信電話番号を入力し、ＧＰＳ受信機３０からの絶対位置情報及び国別番号を含む電話番号をインターネット回線網４を通じて位置地図情報提供通信システム５に転送するステップＳｍ，Ｓｎ）。
【００９８】
位置地図情報提供通信システム５が、絶対位置情報及び国別番号を含む電話番号の取り込みを判断して格納する（ステップＳ３０，Ｓ３１）。
【００９９】
さらに、携帯端末１Ａの携帯電話機１０では、携帯端末１Ａの携帯電話機１への「問い合わせキー（符号（文字、数字）」を入力し、かつ、携帯端末１Ｂの電話番号を入力して携帯端末１Ｂに発信するステップＳｏ，Ｓｐ）。
【０１００】
携帯端末１Ｂの携帯電話機１０が、携帯端末１Ａからの絶対位置情報の取り込みを判断し（ステップＳＭ）、この携帯端末１Ａの移動位置情報（絶対位置情報）と、国際電話番号区分（最初の番号）を携帯端末１Ｂが位置地図情報提供通信システム５にアクセスし、回線接続（リンク）を通じて転送する（ステップＳＮ）。
【０１０１】
次に、位置地図情報提供通信システム５が、携帯端末１Ｂの携帯電話機１０からのデータ取り込みを判断する（ステップＳ３２）。また、位置地図情報提供通信システム５は、携帯端末１Ａが携帯端末１Ｂに転送した絶対位置情報（緯度、経度）に対応する地図情報を地図データベース装置７からトラッキングによって取り出して「フラグＦ１」を立てる（ステップＳ３３）。さらに、位置地図情報提供通信システム５は、携帯端末１Ａから携帯端末１Ｂを通じて転送されてきた「問い合わせキー（符号（文字、数字））が許可されているかを判定する。これは、予め当該サービスの利用するために付与した識別用の符号や、予め携帯端末１Ａから転送されてきた「問い合わせキー（符号（文字、数字））との照合によって、第三者に対する情報盗難を避けるためである（ステップＳ３４）。次に、自国を国際電話番号区分（最初の番号）から判断し（ステップＳ３５）、次に、地図データベース装置７から取り出した地図情報上に多言語データベース装置８から取り出した言語を付加して「フラグＦ２」を立てる（ステップＳ３６）。
【０１０２】
さらに、位置地図情報提供通信システム５は、「フラグＦ１，Ｆ２」として格納されているコンテンツ（位置地図情報）を携帯端末１Ｂの携帯電話機１０にリンク上で転送する（ステップＳ３７）。
【０１０３】
携帯端末１Ｂの携帯電話機１０は、転送されてきた携帯端末１Ａの移動地点を示した位置地図情報の取り込みを判断し（ステップＳＯ）、その画面表示を行う（ステップＳＰ）。
【０１０４】
なお、携帯端末１ＡのＧＰＳ受信機３０でのＧＰＳ計測値（絶対位置情報）が変化した場合（ステップＳ３）、第１実施形態と同様の処理を繰り返して、携帯端末１の携帯電話機１０で新たな携帯端末１Ａの移動地点を示した位置地図情報の画面表示を行う。
【０１０５】
また、この第３実施形態において、図５の第３実施形態でのサブルーチンの処理（図８中のステップＳＨ（図４中のステップＳＤと同様））は、前記した第１実施形態における図５のサブルーチン（ステップＳＤａ〜ＳＤｄ）と同様である。その重複した説明は省略する。
【０１０６】
また、図８中のステップＳＨにおける表示画面は、第３実施形態の図６及び図７に示す二つの表示画面と同様である。また、この二つの表示画面の切り替え処理も第１実施形態の説明と同様であり、その重複した説明は省略する。
【０１０７】
なお、この第３実施形態において、第１実施形態と同様に携帯端末１Ａ側が携帯端末１Ｂに対す言語変換を行うようにしても良い。
【０１０８】
（４）応用変形例
上記した第１から第３実施形態では、絶対位置情報を緯度、経度の二次元情報として説明したが、緯度、経度及び高度情報の絶対位置情報による地図表示も可能である。例えば、現在位置が山などの高い場所の場合は、少なくとも四つのＧＰＳ電波を受信して、その緯度、経度及び高度情報を得ることが出来る。この場合、三次元シミュレーションによる立体的な位置地図情報の画像表示が可能になる。
【０１０９】
なお、三次元シミュレーションは、３次元画像処理や３次元グラフィックスによる立体的表示として、そのデータ加工及び表示処理は既知であり、詳細な説明を省略する。
【０１１０】
さらに、位置地図情報提供通信システム５が、ウェブサーバ（図３参照）の「Ｊａｖｅアプレット」による音声出力及び動的な表示画面の提供も可能になる。
例えば、現地語の表示文字を音声出力したり、電車やバスが動くような地図表示画面が可能になる。これによって不慣れな外国での地理を、携帯端末１Ｂのユーザがより容易かつ確実に把握できるようになる。
【０１１１】
なお、「Ｊａｖｅアプレット」による位置地図情報に対する音声出力及び動的画像表示の処理は既知であり、詳細説明は省略する。
【０１１２】
【発明の効果】
以上の説明から明らかなように、本発明の通信ネットワークによる位置表示地図情報の提供取得方法、位置表示地図提供取得通信システム及びそのプログラムによれば、ＧＰＳ計測による正確な自己の絶対位置（携帯電話機の移動先）を示す位置地図情報を通信回線網上で他の携帯電話機に容易に提供できるとともに、この提供された相手位置（携帯電話機の移動先）を示す位置地図情報を容易に取得して画面表示できるようになり、その使用の利便性が向上するという効果を有する。
【０１１３】
また、本発明によれば、位置地図情報の提供及び相手位置示す位置地図情報の取得を、例えば、海外のローミング運用に適用し、かつ、地図上で多言語による表示が可能になり、その使用の利便性が向上するという効果を有する。
【０１１４】
さらに、本発明によれば、位置地図情報の他の携帯電話機への提供及び位置地図情報の取得通信を、問い合わせキーの照合によって安全に実行できるようになり、その使用の利便性が向上するという効果を有する。
【図面の簡単な説明】
【図１】  本発明の実施形態における通信ネットワーク構成を示す外観構成図である。
【図２】  図１中の携帯端末の構成を示すブロック図である。
【図３】  図１中の位置地図情報提供システムの構成を示すブロック図である。
【図４】  第１実施形態における全体動作の伝送手順及び処理手順を示すシーケンス・フローチャートである。
【図５】  図４中のサブルーチンの処理手順を示すフローチャートである。
【図６】  第１実施形態における表示画面例を示す図である。
【図７】  第１実施形態における他の表示画面例を示す図である。
【図８】  第２実施形態における全体動作における伝送手順及び処理手順を示すシーケンス・フローチャートである。
【図９】  第３実施形態における全体動作における伝送手順及び処理手順を示すシーケンス・フローチャートである。
【符号の説明】
１Ａ，１Ｂ  携帯端末
４  インターネット回線網
５  位置地図情報提供通信システム
６  制御サーバ
７  地図データベース装置
８  多言語データベース装置
１０  携帯電話機
３０  ＧＰＳ受信機
４２  ウェブサーバ
【図１】
0004805471.tif 000002
【図２】
0004805471.tif 000003
【図３】
0004805471.tif 000004
【図４】
0004805471.tif 000005
【図５】
0004805471.tif 000006
【図６】
0004805471.tif 000007
【図７】
0004805471.tif 000008
【図８】
0004805471.tif 000009
【図９】
0004805471.tif 000010